(57)【特許請求の範囲】
【請求項１】
熱電子源、ウェネルト電極、陽極電極からなる軸対称構造の電子銃部と、
前記電子銃部からの電子流の加速と事前のバンチをする軸対称構造のプリバンチャ部と、
前記プリバンチャ部で変調された電子流をさらにバンチし加速するための加速部の前段の軸対称構造のバンチャ部と、
前記バンチャ部の出力をさらに加速する後段加速部と、
から構成された筒状の加速器において、
前記プリバンチャ部のプリバンチャキャビティは、１以上の陽極電極と環状の絶縁板を介して、電子流が軸対称性を保つように前記電子銃部と一体的に設けられており、前記陽極電極の電圧は個別に与えられることを特徴とする電子ビームを発生する加速器。
【請求項２】
請求項１記載の加速器において、
前記電子銃部のウェネルト電極は収束電極であることを特徴とする電子ビームを発生する加速器。
【請求項３】
請求項１または２記載の加速器において、
前記電子銃部の熱電子源の、先端が円錐台状の円柱の熱電子放出材料は、ヒータにより加熱されるものであり、加熱電力は円柱の軸に垂直方向から導入されるように構成した電子ビームを発生する加速器。
【請求項４】
請求項１または２記載の加速器において、
前記バンチャ部の管壁外側に収束コイルが設けられていることを特徴とする電子ビームを発生する加速器。
【請求項５】
請求項１または２記載の加速器において、
前記加速部の前段の動作モードはπ／２モードオンアクシス、後段はπ／２モードサイドカップルで動作し、前段はバンチャ部を形成していることを特徴とする電子ビームを発生する加速器。
【請求項６】
請求項１または２記載の加速器において、
前記加速部の前段の動作モードはπモードオンアクシス、後段はπ／２モードサイドカップルで動作し、前段はバンチャ部を形成していることを特徴とする電子ビームを発生する加速器。
【請求項７】
請求項１または２記載の加速器において、
前記加速器の出力ビームは偏向手段により偏向されＸ線ターゲットに投射されることを特徴とする電子ビームを発生する加速器。
【発明の詳細な説明】
【技術分野】
【０００１】
本発明は、小形化に適した構造で、小径で加速された高エネルギーの電子ビームの発生を可能にした、電子ビームを発生する加速器に関する。
【背景技術】
【０００２】
米国ではがん患者の５０％以上が放射線治療の恩恵を受けており、その治療効果は手術と比較しても遜色がない。特に最近ＩＭＲＴ（強度変調放射線治療）を始め、ＳＲＴ（定位放射線治療）やＩＧＲＴ（画像誘導放射線治療）などの新しい装置が開発されてがん治療効果を上げている。しかし、従来のＸ線装置は、Ｘ線ビームの直径の制約のために、直径１ｃｍ以下のがんの治療に適していない。
【０００３】
がん治療には、Ｘ線をがん患部に対して３６０度の任意の方向から複数回照射すると、たとえばＸ線ビームの直径がＤとすれば、約Ｄの球体の領域が複数のＸ線照射を受けることになる。がんの領域がＤより小さいときには、健全な組織にも複数回照射することになり、健全な組織を痛める危険が伴う。よってＤより小さいがんの治療はできない。一方早期治療はがんの領域が小さいほど効果が上げられるので、その解決が強く望まれる。
【０００４】
直径１ｃｍ以下のがん治療（早期がん）に効果をあげるには、Ｘ線ビームの直径が０．７ｍｍ程度であることが望ましい（たとえば、特願２００７−３３４０４参照）。
この特願２００７−３３４０４は、Ｘ線源に関する発明であって、加速器の電子ビームのスポット径を１ｍｍにし、Ｘ線の案内孔の径を０．６ｍｍにする構成を提案している。
このように、この小径のＸ線を発生するためには、Ｘ線ターゲットを小径の電子ビームで励起する必要があり、この電子ビームを発生する加速器の開発が重要になる。小径のＸ線ビームを発生するためには小径の電子ビームを発生する加速器が必要となる。
【０００５】
特許文献１に係る発明は、電子銃から発せられたビームにマイクロ波電界を印加する第１プリバンチャとドリフトチューブを介して接続される第２プリバンチャとを備える線形加速器を提案している。
特許文献２に係る発明は、電子銃の回りに電界分布調整金属筒を設け、その表面を熱電子放出面と面一にしてビーム性能の向上を図った線形電子加速器を提案している。
特許文献３に係る発明は、被加速電子が比較的高速でない領域では軸対称加速空洞を用いて軸対称な電子分布を得て、被加速電子が高速な領域ではサイドカップル形空洞で効果的に加速する高電界小形定在波線形加速器を提案している。
【特許文献１】特開平０１−１３０５００号公報
【特許文献２】特開平０７−３３５４００号公報
【特許文献３】特許第３０１０１６９号公報
【発明の開示】
【発明が解決しようとする課題】
【０００６】
前述の特許文献１に係る発明では、各部の構造、例えば電子銃とプリバンチャの構造が明らかではない。特許文献２に係る発明では電子ビームの小径化にはかならずしも最適な構造とは言いがたい。さらに特許文献３に係わる高電界小形定在波線形加速器は高エネルギーの電子流を得ることができるが、エミッタンスの改善の余地がある。
【０００７】
本発明の目的は、前述の先行技術の装置をさらに改良して、ビームのエミッタンスを良好にすることを可能とし、小径の電子ビームを発生することができる電子ビームを発生する加速器を提供することにある。
直径１ｃｍ以下の早期がんを効果的に治療するために、０．７５ｍｍ以下の小径Ｘ線ビームを発生させる必要がある。
本発明のさらに詳細な目的は、Ｘ線ターゲット励起用の小径の電子ビームを発生することのできる電子ビームを発生する加速器を提供することにある。
そのためにはエミッタンス特性の優れた小径の熱電子ビームを発生させるように電子銃部の構造を改善する。電子銃部にグリッドを使用しないことで、グリッドの存在による電子ビームの乱れ、ビームのエミッタンスの劣化を防止するとともに、発生熱電子のエミッタンス特性を改善する電子銃の構造を提供する。
【課題を解決するための手段】
【０００８】
前記目的を達成するために、本発明による請求項１記載の電子ビームを発生する加速器は、
熱電子源、ウェネルト電極、陽極電極からなる軸対称構造の電子銃部と、
前記電子銃部からの電子流の加速と事前のバンチをする軸対称構造のプリバンチャ部と、
前記プリバンチャ部で変調された電子流をさらにバンチし加速するための加速部の前段の軸対称構造のバンチャ部と、
前記バンチャ部の出力をさらに加速する後段加速部と、
から構成された筒状の加速器において、
前記プリバンチャ部のプリバンチャキャビティは、１以上の陽極電極と環状の絶縁板を介して、電子流が軸対称性を保つように前記電子銃部と一体的に設けられており、前記陽極電極の電圧は個別に与えられることを特徴としている。
【０００９】
本発明による請求項２記載の電子ビームを発生する加速器は、請求項１記載の加速器において、
前記電子銃部のウェネルト電極は収束電極であることを特徴としている。
【００１０】
本発明による請求項３記載の電子ビームを発生する加速器は、請求項１または２記載の加速器において、
前記電子銃部の熱電子源の、先端が円錐台状の円柱の熱電子放出材料は、ヒータにより加熱されるものであり、加熱電力は円柱の軸に垂直方向から導入されるように構成してある。
本発明による請求項４記載の電子ビームを発生する加速器は、請求項１または２記載の加速器において、
前記バンチャ部の管壁外側に収束コイルが設けられていることを特徴としている。
【００１１】
本発明による請求項５記載の電子ビームを発生する加速器は、請求項１または２記載の加速器において、
前記加速部の前段の動作モードはπ／２モードオンアクシス、後段はπ／２モードサイドカップルで動作し、前段はバンチャ部を形成していることを特徴としている。
本発明による請求項６記載の電子ビームを発生する加速器は、請求項１または２記載の加速器において、
前記加速部の前段の動作モードはπモードオンアクシス、後段はπ／２モードサイドカップルで動作し、前段はバンチャ部を形成していることを特徴としている。
【００１２】
本発明による請求項７記載の電子ビームを発生する加速器は、請求項１または２記載の加速器において、
前記加速器の出力ビームは偏向手段により偏向されＸ線ターゲットに投射されることを特徴としている。
【発明の効果】
【００１３】
本発明による請求項１記載の発明によれば、従来用いられていたグリッド電極の代わりにウェネルト部を長くしてアノードとウェネルトとカソードの電圧の関係を変えることで理想状態でのビームの流れを確保し、ビームの拡がりを抑えることができるので、エミッタンス特性の優れた小形で小径の電子ビームを発生する加速器が得られる。グリッド電極の使用を避けているので、メッシュ状のグリッド電極による電界の乱れがなくなり乱れのない電界で電子が収束されるとともに、コストを下げることができる。また、グリッドの熱による変形により電子銃パービアンスが時間によって変わることがない構造が提供できる。また、電子銃部とプリバンチャ部を一体に組み立てて加速部と熱溶着などで接合できるから、加速部との組み合わせの選択が可能となる。さらに、陽極電極とプリバンチャキャビティを組み合わせること、さらにプリバンチャキャビティにその機能と陽極電極の機能を持たせて小形化を図ることも可能になる。
本発明による請求項２記載の発明によれば、ビームの拡がりを抑えることができるので、エミッタンス特性の優れた小径の熱電子ビームを発生させることができる。
本発明による請求項３記載の発明によれば、熱電子銃部の軸方向の短縮化が図れる。
本発明による請求項４記載の発明によれば、バンチャ部の管壁外側に収束コイルを設けてあるので、加速開始の段階で電子ビームのエミッタンスを向上させることができる。
本発明による請求項５，６記載の発明によれば、加速部の前段の動作モードと後段の動作モードをハイブリッドモードとすることができる。
本発明による請求項７記載の発明によれば、優れた特性の電子ビームを偏向し、Ｘ線ターゲットに投射して治療や診断のためのＸ線ビームを発生させることができる。
【発明を実施するための最良の形態】
【００１４】
以下図面等を参照して、本発明による電子ビームを発生する加速器を実施するための最良の形態を説明する。
図１は、本発明による電子ビームを発生する加速器の全体の概略図である。
前記加速器を以下のＡ〜Ｅのブロックに分けて説明する。
Ａ部分は、熱電子を放射する電子銃部と電子を変調するプリバンチャ部を一体化した部分である。
Ｂ部分は、加速部の前段で、管軸に対してシンメトリー（軸回転対称）の電磁界を発生し、電子群を加速するバンチャ部である。
Ｃ部分は、電子群を強力に加速するのに電力効率のよいサイドカップル形加速部である。Ｄ部分は、加速された電子を出力する出力キャビティ部である。
Ｅ部分は、出力された電子群をＸＹ軸を含む面内で偏向するビーム偏向部である。
【００１５】
図２Ａは本発明による電子ビームを発生する加速器の電子銃部とプリバンチャ部を一体化したＡ部の第１の形態を示す略図的断面図である。収束されたＸ線ビームを発生させるために好ましい電子源である電子銃の構造に配慮している。
カソード２０２の内部にヒータ２０１が内蔵されている。ヒータ２０１の加熱により発生した電子は、Ｖ４電圧２０６により加速されてカソード２０２から放出される。特にカソード２０２の先端部はカソード２０２の基部の直径より細くなっている。
しかもカソード２０２の先端は加速管の軸（電子の走行方向をＺ軸とする）に直角な平坦面であり、円錐台状の熱陰極を構成している。
【００１６】
前述したように、Ｘ線小径化および低い発散性を確保するためには電子ビームのエミッタンス特性も良好であることが必須である。本発明で使用する電子銃において、現在使用されているカソードの直径（通常１ｃｍ程度）よりも小さい３ｍｍ以下のカソード径を実現して使用している。メッシュ形グリッドをなくし、第１アノード２１２と第２アノード２１３で同じ動作をすることにした。その結果、本発明による実施例では電子ビームの直径を０．７５ｍｍ以下に、電子ビームのエミッタンスは１ｍｍ.mradianのレベルに下げることができる。
【００１７】
図２Ａにおいて、電子銃部の熱電子源のカソード２０２は、先端が円錐台状で全体として円柱状の熱電子放出材料からなり、ヒータにより加熱されるものである。加熱電力は円柱の軸に垂直方向から導入される構成になっている。
カソード２０２の先端部から放出された電子はＺ軸に向かうことになる。
カソード２０２の外側に収束電極を構成するウェネルト電極２０３を配置して、カソード２０２の先端部から放出された電子をＺ軸の中心線に収束させる。
【００１８】
カソード２０２に対してウェネルト電極２０３に正のパルス電圧２０７を印加する。これにより電子は間歇的に放出される。パルス電圧信号のタイミングを制御することにより、後段の各バンチャにおけるバンチングキャビティのマイクロ波を加速する位相をマッチングさせて、電子のより大きい加速効果を上げることができる。
次に従来の電子銃はカソードの前面にメッシュ形状のグリッドを配置する構造であったが、メッシュ形状によりその近傍の電界が乱されてしまい、電子の乱れが生ずる問題があった。
【００１９】
電子の乱れを極力回避するために、第１アノード２１２と第２アノード２１３を設けた構造になっている。各アノードに加える電圧はＶ１（２１０），Ｖ２（２０９），Ｖ３（２０８）としてある。
各アノード間の電気的な絶縁は、リング状のセラミックで形成するセラミック絶縁材２１１で行われる。
このように、カソードから放出された電子流はＺ軸に収束されて、各アノードで加速される。これらの構造は、Ｚ軸に対してシンメトリーになるので、電子流２１８はＺ軸に対してシンメトリーな電子流となる。
【００２０】
この電子流２１８はプリバンチャキャビティ２１４に突入する。
プリバンチャキャビティ２１４の側面に配置する同軸フィーダ２１５からマイクロ波が供給され、キャビティ内の電界により、電子流２１８はバンチングされ、キャビティの出力端から収束された電子群２１９が加速されて、後述する加速部の前段のバンチャ部Ｂのキャビティに加えられる。
【００２１】
このように電子銃部とプリバンチャ部を一体化したＡ部において、電子の速度が比較的遅い状態では、Ｚ軸の外周向きの方向に対して、加速電磁界が軸対称性を高く維持することになり、電子ビームが軸対称性を確保できる。
このように、加速キャビティ内部の非対称的なマイクロ波加速電界がないので、加速電子ビームの分布が軸対称になり、発生するＸ線の強度分布が均一になる。
【００２２】
従来の電子銃では通常はグリッドが付くことで電子ビーム量と電子ビームの出力の時間タイミングをとる構成を用いるものが多い。この構成によれば、このグリッドによって電子ビームが乱され、ビームのエミッタンスを損なってしまう。本発明の構成ではグリッドの代わりのウェネルト部を長くしてアノードとウェネルトとカソードの電圧の関係を変えることで理想状態でのビームの流れを確保できる。すなわち、ビームのエミッタンスを良好にすることが可能である。グリッドがなくなることでコストが下がるとともに、グリッドの熱による変形により電子銃パービアンスが時間によって変わることがない構造としてある。
通常、アノード部とプリバンチャのキャビティは別々であるが、ここではアノードの外側がプリバンチャキャビティの内側になるように一体形としてある。
【００２３】
図２Ｂは、本発明による電子ビームを発生する加速器の電子銃部とプリバンチャ部を一体化したＡ部の第２の形態を示す略図的断面図である。この例では従来の陽極を省略して、プリバンチャキャビティ２１４に陽極の機能を持たせている。
ヒータ２０１，カソード２０２，ウェネルト電極２０３の構成と動作は前述と異ならない。カソード２０２に対してウェネルト電極２０３に電源２２１から正のパルス電圧が印加されており、前述と同様に熱電子は間歇的に放出される。このパルス電圧は、同軸フィーダ２１５の内導体がセラミックシール２１６を介して導入され、カップリングループ２１７により結合される励起電圧と同期させられている。なお同図において、直流電源２２０は陽極電圧に相当する電源であり、２２２はヒータ電源である。このようにウェネルト電極２０３に印加されるパルス電圧信号とカップリングループ２１７を介して接続される信号のタイミングを制御することにより、後段の各バンチャにおけるバンチングキャビティのマイクロ波を加速する位相をマッチングさせて図２Ａに示した例と同様に動作させられる。
【００２４】
前述のように図２Ａ，図２Ｂに示す構造は電子銃部とプリバンチャ部を一体化した構造であり、図２Ａに示す構造では、高圧電圧とヒータ電源を供給するフィーダを加速管軸（Ｚ軸方向）に垂直に配置することにより、加速管の管軸方向の全体長さを短縮することができる。
【００２５】
収束された電子群２１９はバンチャ１２（バンチャ部Ｂ、図１参照）に入る。図３Ａおよび図３Ｂは、加速器の加速部のハイブリッドモードの第１，および第２の形態を示す概略図である。
バンチャ１２は、図３Ａ（または図３Ｂ）に示すバンチャ部であり、ソレノイドコイル３０２による磁界により、電子群の直径を絞る作用が働いて、電子群は収束される。
キャビティ３０１に生ずる電界により、電子群が加速される。
この加速部の電磁界はＺ軸に対して対称性を持つので、電子群はＺ軸に対して軸対称性を保つ。加速電圧は１０ＫＶ程度である。この加速された電子はＺ軸に向かう大きい運動量が得られる。
【００２６】
バンチャ部Ｂ（加速部の前段）のソレノイドコイル３０２はバンチャ部での電子ビームの広がりを抑止するための収束磁界を発生している。
また電子のＺ軸方向の運動量が大きくなるので、好ましくない外部からの電磁界による電子のＺ軸方向以外の変動は極めて少なくなり、実質的に影響を受けなくなる。
電子銃部とプリバンチャ部の一体化部Ａとバンチャ部Ｂとの接合（図１参照）はフランジを溶接して、管壁の導電度をあげて、電力の損失を極力下げている。
【００２７】
図３Ａに示すように、プリバンチャキャビティ２１４（図２Ａ，図２Ｂ）から入射し、定在波形π／２モードオンアクシス結合キャビティの加速部（バンチャ）を出た電子群は、π／２モードサイドカップル形加速器１４（図１のＣ部）に突入する。サイドカップル形加速器１４（Ｃ部）は、図１に示すように、主に加速キャビティ１５、サイドキャビティ１９と大電力マイクロ波入力ポート１３で構成されている。サイドカップル形加速器１４の出力は、出力キャビティ１６（図１のＤ部）に接続される。
図３Ｂに示す例では、プリバンチャから入射し、定在波形πモードオンアクシス結合キャビティの加速部（バンチャ）を出た電子群は、π／２モードサイドカップル形加速器１４（図１のＣ部）に突入する。
【００２８】
大電力マイクロ波入力ポート１３から入力されたマイクロ波は、サイドキャビティ３０４（結合キャビティ）を通して各加速キャビティ３０３を励振する。なお、図３Ａ，図３Ｂにおいて、結合部３０５は、加速キャビティ３０３とサイドキャビティ３０４を結合している。
Ｚ軸方向の電界は電子をさらに加速し、電子は次の加速キャビティへと伝送される。
このときのマイクロ波の励振はπ／２モードになる。
多段の加速キャビティにより電子のエネルギーは数Ｍボルトになり、電子の速度は光速に近い速度に達する。
【００２９】
図１に示すように、出力キャビティ１６から放出された電子群は、ビーム偏向部Ｅに入る。偏向用ＸＹマグネット１８の強力な磁界によって電子群はＸ軸，Ｙ軸方向に偏向させられる。これにより電子群は前記偏向によって選択された任意のＸ線ターゲットに入射させられ、異なる位置から異なる方向にＸ線を発生することができる。
【００３０】
その他の小形化に適した構造を採用する。たとえば、加速管の冷却パイプ（ヒートパイプ）を、加速管の外壁と内壁の間の内部に配置する。なおこの構造は、特開平１１−８０９９号公報に開示されているから説明を省略する。電磁界をシールドするシールド板を加速管の内部に配置することもできる。
その結果、加速管の全長を３０ｃｍ程度にして、全体の径を５ｃｍφ程度に小さくすることができる。
【図面の簡単な説明】
【００３１】
【図１】本発明による電子ビームを発生する加速器の全体の構成を示す略図である。
【図２Ａ】本発明による電子ビームを発生する加速器の電子銃部とプリバンチャ部を一体に設けた第１の形態を示す略図的断面図である。
【図２Ｂ】本発明による電子ビームを発生する加速器の電子銃部とプリバンチャ部を一体に設けた第２の形態を示す略図的断面図である。
【図３Ａ】本発明による電子ビームを発生する加速器の加速部のハイブリッドモードの第１の形態（π／２モードオンアクシス）を示す概略図である。
【図３Ｂ】本発明による電子ビームを発生する加速器の加速部のハイブリッドモードの第２の形態（πモードオンアクシス）を示す概略図である。
【符号の説明】
【００３２】
Ａ  電子銃部とプリバンチャ部
Ｂ  バンチャ部
Ｃ  サイドカップル形加速部
Ｄ  出力キャビティ部
Ｅ  ビーム偏向部
１１  溶接フランジ
１２  バンチャ
１３  大電力マイクロ波入力ポート
１４  サイドカップル形加速器
１５  サイドカップル形加速器の加速キャビティ
１６  出力キャビティ（シンメトリー加速キャビティ）
１７  真空フランジ
１８  ＸＹマグネット
１９  サイドキャビティ
２０１  ヒータ
２０２  カソード
２０３  ウェネルト電極
２０４  各種電源用フィーダ
２０５  ヒータ電源
２０６  Ｖ４
２０７  パルス電圧
２０８，２０９，２１０  陽極に印加される電圧Ｖ３〜Ｖ１
２１１  セラミック絶縁材
２１２  第１アノード（陽極）
２１３  第２アノード（陽極）
２１４  プリバンチャキャビティ
２１５  マイクロ波用同軸フィーダ
２１６  セラミックシール
２１７  カップリングループ
２１８  電子流
２１９  電子群
３０１  キャビティ
３０２  ソレノイドコイル
３０３  加速キャビティ
３０４  サイドキャビティ
３０５  結合部
【図１】
0004517097.tif 000002
【図２Ａ】
0004517097.tif 000003
【図２Ｂ】
0004517097.tif 000004
【図３Ａ】
0004517097.tif 000005
【図３Ｂ】
0004517097.tif 000006